(57)【要約】【課題】一輪車（猫車）のような小運搬車両を搭載して安定状態で能率よく資材などの揚重作業が行なえる建設用リフトを提供する。【解決手段】構築物などの側面部に支持され立設される昇降支持体２のガイドレールに案内されて前面部に荷台１５を備える搬器１０が昇降自在に設けられた建設用リフトにおいて、前記荷台１５に小運搬車両３０を搭載するようにして、その荷台１５への乗降側に対する反対の側のガード１６部に、搭載される小運搬車両３０のフレーム先端部を固定する固定手段が付設されている。【選択図】          図１
2004155525.tif 000002
【特許請求の範囲】
【請求項１】
構築物などの側面部に支持され立設される昇降支持体のガイドレールに案内されて前面部に荷台を備える搬器が昇降自在に設けられた建設用リフトにおいて、
前記荷台に小運搬車両を搭載するようにして、その荷台への乗降側に対する反対側のガード部に、搭載される小運搬車両のフレーム先端部を固定する固定手段が付設されていることを特徴とする建設用リフト。
【請求項２】
前記小運搬車両の固定手段は、荷台の周囲に設けられるガードに付設される取付部材と、車体フレームの先端部で車輪に係合させる固定部材と、連結部材とで構成される請求項１に記載の建設用リフト。
【請求項３】
前記荷台に搭載される小運搬車両は、その車体フレームから両側後部に突出される左右両ハンドルが、前記車体フレームの後端部にヒンジピンで下向き回動可能に接続金具により連結され、前記両ハンドルを持ち上げて走行可能な姿勢にすると前記接続金具のヒンジピン位置から前側の部分が車体フレームの上面部分に係合して支持できるように固定される構成である請求項１に記載の建設用リフト。
【発明の詳細な説明】
【０００１】
【発明の属する技術分野】
本発明は建設資材などを運搬するのに適した建設用リフトに関するものである。
【０００２】
【従来の技術】
従来、建設工事現場で資材などを高所に運搬するのに使用される建設用リフトにあっては、構築物の外側に足場枠組を利用して支持され立設される昇降支持体（ガイドレール）に沿わせて、その昇降支持体の頂部に設けられた滑車を巡って地上もしくは構築物の途中階などに設置された巻上げ機により駆動される吊上げロープにより搬器（荷台）を昇降自在に吊下げられる構成のものがある（例えば、特許文献１．参照）。
【０００３】
また、前記昇降支持体として左右両側にガイドレールが配されて、その両ガイドレールを横部材で連結した構造で、その横部材の前面を利用してラックが取付けられて、そのラックと噛み合う歯車を駆動機によって駆動して昇降する搬器を備えた構成のものが知られている（特許文献２．参照）。
【０００４】
【特許文献１】
特公昭６３−４１８３９号公報（第１図、第２図）
【特許文献２】
実公平２−３５７４１号公報
【０００５】
【発明が解決しようとする課題】
前述の特許文献１あるいは特許文献２によって知られるような建設用リフトにあっては、搬器フレームの前側に資材等を搭載する荷台が設けられていて、その前面と左右両サイドとに手摺あるいはガードが着脱可能もしくは起倒可能に取付けられている。しかし、一般にその荷台床の寸法は比較的小さく、周囲に設けられる手摺あるいはガードは、搭載物を荷台上から外部に落下しないように保護するものであるが、使用される作業現場の状況に応じて場合によっては荷台を拡張して使用できるようにすることもある関係上、手摺などの構造を強固なものとすることに無理がある。
【０００６】
このようなことから、可動的な荷物を搭載した場合、昇降中にその荷物が移動変位すると搬器に作用する負荷に変動が発生して搬器の昇降に支障をきたす虞がある。例えば、一輪車（猫車）のような小運搬車両に資材を積込んでリフトで搬送する場合、その小運搬車両をリフトの荷台上に直接乗り込ませて運び上げることになるが、この種の車両には固定手段を備えていないので固定されず載せるにとどまり、正しく荷台のガードされる範囲内に収まるように搭載しないと不安定になる。また、ハンドル部分が荷台の外側に食み出すと、昇降中にリフト設置場所の周囲の構造物などと接触する危険性がある。
【０００７】
本発明は、前述のような状況に鑑みてなされたもので、一輪車（猫車）のような小運搬車両を搭載して安定状態で能率よく資材などの揚重作業が行なえる建設用リフトを提供しようとするものである。
【０００８】
【課題を解決するための手段および作用・効果】
前述された目的を達成するために、本発明による建設用リフトは、
構築物などの側面部に支持され立設される昇降支持体のガイドレールに案内されて前面部に荷台を備える搬器が昇降自在に設けられた建設用リフトにおいて、
前記荷台に小運搬車両を搭載するようにして、その荷台への乗降側に対する反対側のガード部に、搭載される小運搬車両のフレーム先端部を連結して固定する固定手段を付設されていることを特徴とするものである。
【０００９】
本発明によれば、搬器の荷台上に小運搬車両を乗り入れて資材などを揚重するとき、その小運搬車両のフレームにおける車輪支持部の先端部分と車輪との間に、着脱可能に固定する固定部材とその固定部材を荷台のガードに連結するようにして、小運搬車両が荷台上に搭載されるとガード側に連結される固定部材によってフレームの移動を固定できる固定手段を具備させることによって、搬器の昇降運転中には資材などを積込んだ小運搬車両が荷台上に固定されるので、搬器を安定状態で昇降させることができる。したがって、搬器に駆動機を備えて昇降する形式のリフトにおいては、負荷変動が発生せず安定した運転が行えるという利点がある。もちろん、ロープ駆動式のリフトにおいても同様の効果が得られる。
【００１０】
前記発明における小運搬車両の固定手段は、荷台の周囲に設けられるガードに付設される取付部材と、車体フレームの先端部で車輪に係合させる固定部材と、連結部材とで構成されるのが好ましい。こうすると、小運搬車両を荷台上に乗り込ませた後に、ガードに付設の取付部材と繋がる固定部材をその小運搬車両の車体フレーム先端部と車輪との間に挿入すると、車体フレームと車輪とが係止状態になるので、小運搬車両が荷台上に固定されて昇降動作時に変動することなく安定状態に保たれて搬器を昇降させることができる。
【００１１】
また、前記発明における荷台に搭載される小運搬車両は、その車体フレームから両側後部に突出される左右両ハンドルが、前記車体フレームの後端部にヒンジピンで下向き回動可能に接続金具により連結され、前記両ハンドルを持ち上げて走行可能な姿勢にすると前記接続金具のヒンジピン位置から前側の部分が車体フレームの上面部分に係合して支持できるように固定される構成であるのがよい。こうすると、この小運搬車両を搬器の荷台上に乗り込ませた後、ハンドル部分を下向きに下げることで全長を短くすることができので、嵩低くなって小さいスペースに無理なく収めることができる。したがって、このハンドル折畳みと前記固定手段による固定機能とで、狭い空間部に設置されるリフトであっても荷台上に小運搬車両を安定させて、無理なく効果的に、小運搬車両の使用で資材などを昇降運搬することができる。なお、搬器から下ろした状態では、ハンドルを持ち上げることにより自動的に接続金具で移動操作可能な状態にすることができるので、小運搬作業に際して何等支障なく目的位置に運搬することができる。
【００１２】
【発明の実施の形態】
次に、本発明による建設用リフトの実施の形態につき、その具体的な一例を、図面を参照しつつ説明する。
【００１３】
図１には本実施形態の建設用リフトの要部を表わす正面図が、図２には図１の側面図が、図３には搬器荷台の平面図（ａ）とガード装着部の拡大平面図（ｂ）およびガード装着部の拡大側面図が、図４には小運搬車両の側面図（ａ）とハンドル取付部詳細を表わす斜視図（ｂ）が、図５には図４（ａ）の平面図が、それぞれ示されている。
【００１４】
この実施形態の建設用リフト１は、構築物に支持されて立設される前面にラックギア３を付設された昇降支持体２と、その昇降支持体２を構成する左右二本の縦部材がガイドレール２ａ，２ａとされて、これに案内されて前記ラックギア３と噛み合う駆動部を備えた搬器１０とで構成されている。
【００１５】
前記搬器１０は、前記昇降支持体２のガイドレール２ａ，２ａに案内支持される昇降フレーム１１と、この昇降フレーム１１の下部に支持されて前記昇降支持体付設のラックギア３に噛み合って昇降駆動する転動噛合い機能を有したギア（図示省略）およびその駆動機１３と、昇降フレーム１１の前面側にＬ型フレーム１１ａによって支持される荷台１５とで形成されている。
【００１６】
前記荷台１５は、昇降フレーム１１側を含め四面にガード１６，１６’が取付けられて搭載貨物の落下を防止するようにされ、その昇降フレーム１１と対向する位置のガード１６’を固定にして他の二面のガード１６は起倒可能に取付けられている。また、この荷台１５の起倒可能にされたガード１６は、内側に多孔板１６ｃ（エキスパンドメタルなど）が取付けられ倒伏時に踏み板となるようにされている。
【００１７】
このガード１６は、図３（ａ）〜（ｃ）にて示されるように、上下平行に配される横部材１６ａ，１６ｂの各端部１６ａ’，１６ｂ’を、荷台１５の四隅に断面コ字形でその開口溝部１７ａが対向するように直立して配置される支柱１７，１７のその溝部１７ａに挿入されて支持されており、起立状態でその両端部１６ａ’，１６ｂ’が支柱１７の溝１７ａに受入れられて保持され、このガード１６をそのまま持ち上げて上側の横部材１６ａの端部１６ａ’が支柱１７の溝部１７ａから外れた状態（図３（ｃ）に二点鎖線で示す。参照）で外向きに倒すと下側の横部材１６ｂの端部１６ｂ’が支柱１７の溝部１７ａ内で回動支点となって倒伏できるようにされている。なお、この起倒可能にされたガード１６の倒伏時の上面（内側の面）には踏み板となる部材が付されている。また、前記支柱１７の下部には前記ガード１６の下側横部材１６ｂの端部１６ｂ’がガードを引き上げたときに抜け出さないように抜け止めピン１８がそれぞれ横向きに取付けられている。
【００１８】
また、前記踏み板を兼ねたガード１６には、後述する小運搬車両の固定手段２０としての留め金取付具２１が倒伏時支障のないように上横部材１６ａに付設されている。なお、前記留め金取付具２１については、説明上片方のガード１６に付したもので記載しているが、両側に設けておけば左右いずれから小運搬車両を乗り入れる場合であっても同様に固定手段２０を使用することができる。
【００１９】
一方、前記搬器１０の荷台１５に載せて資材を搬送するのに適した小運搬車両３０としては、図４に示されるような一輪車が使用される。この小運搬車両３０は、車体フレーム３１が、例えばパイプ材を用いて前部を所要幅の角形に屈曲させて中間部より前方が上向きに傾斜されるとともに、中間部を平行させて後端部をやや斜め上向きに屈曲して中間部を複数本の横繋ぎ材で一体に結合されてなる主フレーム３２と、この主フレーム３２の後半両側に下向き山形で下端部を円弧に形成される左右一対の脚３３と、前下部中央線上にて水平状態でＵ字形に屈曲形成される車輪の支持部３４とを溶接されて一体に形成されている。
【００２０】
また、前記車体フレーム３１の車輪支持部３４には、その内側にゴムタイヤの車輪３５がその支持軸３６を両端部で固着されて設けられている。そして、車体フレーム３１の上側には、資材を受入れて支持できる前側を緩やかな勾配にされて左右および後を前側よりも急勾配にされた荷受パン３７が取付けられている。
【００２１】
このようにされる車両の後部に設けられるハンドル３８は、前記車体フレーム３１の主フレーム３２後端部にヒンジピン３９によって下向きに回動可能に基端部３８ａを取付けられ、そのハンドル基端部３８ａには断面逆Ｕ字形に曲げられた接続金具４０が前記ヒンジピン３９のほぼ上側位置から前方に突出すようにして取付けられている。また、このハンドル３８は端部をやや下向きに屈曲させて握り部３８ｂを設け、使用状態にすると前記接続金具４０の前半部が主フレーム３２の後端部３２ａを上側から囲うように当接係合して運搬時の機能を発揮できるように形成されている。なお、この小運搬車両３０は、そのハンドル３８を下向きに回動させることにより、前記搬器１０の荷台１５上でガード１６，１６’で囲われる範囲内に収容される状態となる（図３（ａ）参照）。
【００２２】
前記小運搬車両３０の固定手段２０としては、荷台１５におけるガード１６の上側横部材１６ａの適所に取付金具２１が付設され、この取付金具２１に可撓性の連結部材２２（例えば小型の鎖条）の一端部を取付けて、その連結部材２２の他端にはロック片２３が付されたものである。このロック片２３は、側部に勾配を付けた適宜長さの部材であって、前記小運搬車両３０の車輪３５と車体フレーム３１における車輪支持部３４のＵ字形に曲げられた先端内部との間に形成される空間部に上側から着脱可能に差し込むことで車輪３５の回転を阻み移動を固定するように形成されている。なお、ロック片２３としては、一側部を円弧面にしてその反対面が車輪３５のタイヤ３５’に接触して回転を阻止する平面状に形成されているのが好ましい。また、ロック片２３の上部には着脱用の杷手２４が付されている。
【００２３】
このように構成された本実施形態の建設用リフトは、建設工事現場などで構築される構造物に直接もしくは枠組作業足場の側面に支持部材（サポート金具）を介して昇降支持体２を立設し、その昇降支持体２の前面に搬器１０を装架して駆動機１３の駆動によりギアをラック３に噛み合わせて昇降できる。
【００２４】
その搬器１０における荷台１５は、上面に直接資材等を搭載して運搬することができるが、バラ物の資材などを小運搬車両３０に積んだ状態で乗り込ませて運搬することができるようになっている。この小運搬車両３０を搬器１０の荷台１５に載せる場合、その構造上ハンドル３８の部分が搬器上（荷台１５）から食み出すことになり、昇降時に周囲に設けられる作業用踊り場などと接触する危険性がある。また、荷台１５上に乗り込ませたそのままでは、昇降中に振動などの外力もしくは荷受パン３７に載せている資材のアンバランスなどによって位置ずれする虞がある。
【００２５】
本実施形態の建設用リフトでは、このような荷台１５に小運搬車両３０を搭載するに際しての問題点を解決している。すなわち、小運搬車両３０を作業足場から荷台１５上に乗り移した後で、搬器１０の荷台１５における周囲に設けられているガード１６に一端を取付金具２１によって固定された可撓性の連結部材２２で繋がれるロック片２３を、前記小運搬車両３０の車体フレーム３１における車輪支持部３４と車輪３５のタイヤ３５’との空間部に上側から挿入する。こうすることで、ロック片２３が前記車輪支持部３４のＵ字曲げされた先端部分の内側と車輪３５のタイヤ３５’周面との間に押し込まれてそのタイヤ３５’に大きな抵抗が加えられ、車輪の回動が阻止される。したがって、小運搬車両３０はロック片２３による固定によって、荷台上で静止状態に維持される。
【００２６】
一方、小運搬車両３０が荷台１５上に乗り入れて固定された状態では、その荷台スペースからハンドル３８部分がガード１６の上側で外に食み出す状態となるので、そのハンドル３８を下向きに押し下げると、車体フレーム３１の主フレーム３２後端部との連結部において、ヒンジピン３９を支点として接続金具４０を介しハンドル３８が下向きに回動されて折畳まれた状態となる。こうすると、図６に示されるように、荷台１５のガード１６で囲われる範囲内に小運搬車両３０を収容することができる。したがって、搬器１０が昇降するときその昇降路付近の作業足場などと接触することなく目的位置に昇降させて荷下ろしすることができる。なお、小運搬車両３０のハンドル３８を下向きに折畳むことで、搬器１０の荷台１５の幅（奥行き）寸法が狭くとも、有効に使用して昇降運搬することができる。
【００２７】
搬器１０の荷台１５から小運搬車両３０を荷下ろしするときには、乗り入れ側のガード１６を持って引き上げると、そのガード１６の端部１６ｂ’が抜け止めピン１８に当接する状態で、上部横部材１６ａの両端部１６ａ’が支柱１７の開口溝部１７ａから上側に抜け出すので、作業足場上の作業者が図６に二点鎖線で示されるように手前側へそのまま回動させて倒すと、倒伏したそのガード１６の上面が踏み板となって搭載されている小運搬車両３０を荷台上から下ろすことが可能な状態となる。
【００２８】
ガード１６を倒伏させた後は、小運搬車両３０の折畳まれているバンドル３８を持上げると、ヒンジピン３９廻りに回動して接続金具４０のフリー端部が車体フレーム３１の主フレーム端部上に係合し、ハンドル３８が使用時の状態に保たれる。次いで作業者が荷台上に乗り込んで固定手段２０のロック片２３を固定部分から抜き取れば、車輪３５がフリーとなるので移動容易な状態となる。したがって、作業者はハンドル３８を持上げて一対の脚部３３，３３を浮かせるようにすることで、小運搬車両３０を荷台１５上から踏み板上を通って作業足場へ移動させて下ろすことができる。なお、小運搬車両の荷台上への積込みに際しては、前記小運搬車両の積み下ろし時と逆の操作によって行なえる。また、取外されたロック片２３は、連結部材によって遊離しないので荷台１５上の隅部などに置いて紛失することはなく作業に支障のないようにできる。
【００２９】
また、通常の機材やバラ物以外の資材を搬送するには、荷台上に直接載せて運搬することができる。なお、長寸の材料などを搬送するときには、支柱の基部に隣接して設けられているパイプに脚部を差し込んで適宜高さの補助支持枠を取付けて、この補助支持枠に搬送する材料などを凭れさせて運搬するようにすればよい。
【００３０】
以上の説明では、搬器の昇降駆動をラックとギアの噛合い駆動で昇降する形式のリフトについて記載したが、搬器をワイヤロープで吊下げて昇降させるロープ駆動式のリフトにおいても、搬器の荷台における構造を同様にすることで、前述のものと同じ効果を得ることができる。
【００３１】
なお、本発明の建設用リフトは、上述の実施形態にのみ限定されるものではなく、本発明の要旨を逸脱しない範囲内において種々変更を加え得ることは勿論である。
【図面の簡単な説明】
【図１】図１は、本実施形態の建設用リフトの要部を表わす正面図である。
【図２】図２は、図１の側面図である。
【図３】図３は、搬器荷台の平面図（ａ）とガード装着部の拡大平面図（ｂ）およびガード装着部の拡大側面図である。
【図４】図４は、小運搬車両の側面図（ａ）とハンドル取付部詳細を表わす斜視図（ｂ）である。
【図５】図５は、図４（ａ）の平面図である。
【図６】図６は、搬器荷台上に小運搬車両を搭載した態様を表わす図である。
【図７】図７は、固定手段の平面図である。
【符号の説明】
１                    建設用リフト
２                    昇降支持体
２ａ                  ガイドレール
１０                  搬器
１１                  昇降フレーム
１５                  荷台
１６                  ガード
１６ａ，１６ｂ        ガードの横部材
１７                  支柱
２０                  固定手段
２１                  取付金具
２３                  ロック片
３０                  小運搬車両
３１                  車体フレーム
３４                  車輪支持部
３５                  車輪
３５’                タイヤ
３８                  ハンドル
３９                  ヒンジピン
４０                  接続金具
【図１】
2004155525.tif 000003
【図２】
2004155525.tif 000004
【図３】
2004155525.tif 000005
【図４】
2004155525.tif 000006
【図５】
2004155525.tif 000007
【図６】
2004155525.tif 000008
【図７】
2004155525.tif 000009